(57)【要約】【課題】  多くの道具を持ち歩いたり、作業中に道具を持ちかえたりする必要をなくし、作業効率を高める。【解決手段】 鏝板１０と、鏝板に金具２０を介して取り付けられた握り柄３０とからなる左官鏝１であって、鏝板は、略三角形状で、後端部の一方の角部１１において直角を成し、前端部１２を基準として前記角部に向けて目盛り１３を付して構成することで、物差しや差し金を不要とする。握り柄は、後端面に雌ねじを埋設すると共に座金を設けた木製の握り部３１と、前記雌ねじに螺合する雄ねじによって着脱可能に取り付けられた塩化ビニル製の樹脂からなるハンマー部３５と、を含んで構成する。【選択図】 図１
2006219917.tif 000002
【特許請求の範囲】
【請求項１】
鏝板と、該鏝板に金具を介して取り付けられた握り柄とからなる左官鏝であって、
前記鏝板は、略三角形状で、後端部の一方の角部において直角を成し、前端部を基準として前記角部に向けて目盛りを付したことを特徴とする左官鏝。
【請求項２】
前記握り柄は、
後端面に雌ねじを埋設すると共に座金を設けた木製の握り部と、
前記雌ねじに螺合する雄ねじによって前記握り部に着脱可能に取り付けられた塩化ビニル製の樹脂からなるハンマー部と、
を含んで構成されたことを特徴とする請求項1に記載の左官鏝。
【発明の詳細な説明】
【技術分野】
【０００１】
本発明は、施工の際に持ち歩かなければならない道具を少なくし、作業の途中で道具を持ち変えることを必要としない左官鏝に関する。
【背景技術】
【０００２】
従来の左官鏝は、鏝板と、鏝板に金具を介して取り付けられた握り柄とからなり、鏝板の形状としては、前端部に向けて長く延びる二等辺三角形状のもの（特許文献１）、長方形状のもの（特許文献２）、前端部を丸くしたもの（特許文献３）、前端部を尖らせたもの（特許文献４）等が提案されている。握り柄については、使い込むことによって手に馴染むものとなるように、木質のものが多かった。
一方、コンクリートブロック工法を行う際は、立設されたコンクリートブロックの上面に、鏝によって目地材としてのモルタルを載せてそれを均し、その上にコンクリートブロックを積み重ねるという作業を繰り返すわけであるが、この際、積み重ねられたコンクリートブロックの高さを測ったり、コンクリートブロック切断したりすることがあり、このため物差しや差し金などの道具が必要であった。
【０００３】
また、ブロックを積み重ねる際に、モルタルとの接合性を高め，ブロックの高さを均一にするために、積み上げられたブロックを叩くことがあり、このためにハンマーが必要であった。
このため、施工の際には多くの道具を持ち歩き、作業の途中で道具をもちかえる必要があったので、かかる煩雑さを解消するために、木製の握り柄の後端部に金属製のハンマー片を木ねじで取り付ける技術が提案されている（特許文献１）。
【特許文献１】実開平５−５３８６９号公報
【特許文献２】特公平７−５６１７１号公報
【特許文献３】特開平１１−６２８２号公報
【特許文献４】実公平４−５６４５号公報
【発明の開示】
【発明が解決しようとする課題】
【０００４】
しかしながら、ブロックの高さなどを測る必要性から、物差しや差し金は依然として持ち歩く必要があった。
また、特許文献１の左官鏝によって、ハンマーを持ち歩く必要性がなくなったとはいえ、特許文献１の握り柄に取り付けられたハンマー片は、金属製なので、ブロックを叩く際の騒音がひどく、近隣に迷惑がかかるという問題があった。
また、強く叩くとコンクリートブロックに割れが生ずるという問題もあった。
【０００５】
さらに、木ねじや釘によってハンマー片を取り付けるため、磨耗したハンマー片を取り換えようとする場合、ハンマー片の釘や木ねじを抜き取り、その抜き取られた穴に、再び釘や木ねじを挿入することとなるので、グラつきが生じ、ハンマー片を強固に固定することができないという問題もあった。
そこで、本発明は、多くの道具を持ち歩いたり、作業中に道具を持ちかえたりする必要をなくし、作業効率を高めることができる左官鏝を提供することを目的とする。
【課題を解決するための手段】
【０００６】
上記課題を解決するために、本発明に係る左官鏝は、鏝板と、該鏝板に金具を介して取り付けられた握り柄とからなる左官鏝であって、前記鏝板は、略三角形状で、後端部の一方の角部において直角を成し、前端部を基準として前記角部に向けて目盛りを付したことを特徴とするものである。
本発明において、前記握り柄は、後端面に雌ねじを埋設すると共に座金を設けた木製の握り部と、前記雌ねじに螺合する雄ねじによって前記握り部に着脱可能に取り付けられた塩化ビニル製の樹脂からなるハンマー部と、を含んで構成してもよい。
【発明の効果】
【０００７】
請求項1に係る発明によれば、鏝板の角部によって直角か否かを測定することができるため、鏝板を差し金の代わりに使用することができる。また、鏝板に目盛りが付されているので、鏝板を物差しの代わりに使用することができる。
これによって、施工の際に、差し金や物差しを持ち歩く必要がなくなる上に、作業の途中で道具を持ち変える必要がなくなるので、作業効率が向上する。
【０００８】
請求項２に係る発明によれば、握り柄にハンマー部を設けたので、ブロックの積み上げ・接合作業の際に別途ハンマーを持ち歩く必要がない。
また、作業の途中で鏝をハンマーに持ち代える必要がないので、作業効率が向上する。
ハンマー部の材質を塩化ビニル系の樹脂としたので、コンクリートブロックを叩く際に、騒音が生じたり、割れが生じたりする心配がない。
握り部の後端面に座金を取り付けたので、コンクリートブロックを叩いた際の衝撃が吸収され、木製の握り部に割れが生じにくくなる。
さらに、ハンマー部と握り部とを雌ねじと雄ねじによって着脱可能に結合したので、ハンマー部が破損した場合、新たなハンマー部に容易に交換することができる。
【発明を実施するための最良の形態】
【０００９】
以下、本発明の実施形態を図面に基づいて説明する。
【実施例１】
【００１０】
図１は、本発明の第１実施形態に係る左官鏝を示す平面図である。
この左官鏝は、コンクリートブロック工法に使用される左官用のブロック鏝１であり、鏝板１０と、鏝板１０に金具２０を介して取り付けられた握り柄３０によって構成されている。
鏝板１０は、後端部の一方の角部１１が直角を成し、前端部１２に向けて長く延びる直角三角形状の金属板からなる。この場合、鏝を持った際に利腕となる側（大抵は右側）の角部１１を直角とするのが好ましい。
【００１１】
そして、その鏝板１０には、前端部１２を基準として前記角部１１に向けて例えば１ｃｍおきに目盛り１３が付されている。
該鏝板１０の上面には、後端部の中央から直角を成す角部１１寄りの位置に、金具２０が溶接されている。
この金具２０は、鏝板１０と握り柄３０とを連結するためのものであり、図２に示すように、側面視でＬ字型を成している。前端部において鏝板１０に溶接され、後方に向けて水平方向に延び、垂直方向に立ち上がり、更に後方に向けて水平方向に延びた位置で握り柄３０に固定されている。
【００１２】
握り柄３０は、図３に示すように、握り部３１とハンマー部３５とを含んで構成される。
握り部３１は、木材からなり、後端面にリング状の座金３２を設け、雌ねじ３３を埋設している。
この雌ねじ３３を介して、ハンマー部３５が取り付けられている。
ハンマー部３５は、塩化ビニル系の樹脂によって形成され、先端面に、握り部３１の雌ねじ３３に螺合する雄ねじ３６が設けられている。
【００１３】
かかる左官鏝1を使用してコンクリートブロック工法を行う際は、図４に示すように、立設されたコンクリートブロック２ａの上面に、ブロック鏝１でモルタル３を載せて所定の高さに均し、その上にコンクリートブロック２ｂを積み重ねる。
そして、コンクリートブロック２ｂとモルタル３との接合性を高めるために、握り柄３０の後端のハンマー部３５で、積み上げられたコンクリートブロック２ｂを叩く。
この際、ハンマー部３５は塩化ビニル系の樹脂によって形成されているので、コンクリートブロック２ｂに対する当たりが柔らかく騒音が少ない。
【００１４】
また、ハンマー部３５が取り付けられている握り部３１の後端に座金３２が取り付けられているので、叩いた際の衝撃が吸収され、握り部３１の局所的な破損を防止できる。
特に、鏝の握り部３１は木材によって作られており、長年の使用によって手に馴染むものとなっているので、かかる握り部３１を保護する上でも座金３２によってもたらされる効果は大きい。
さらに、ハンマー部３５を着脱可能としたので、ハンマー部３５が破損した場合に、容易に取り換えることができる。
【００１５】
コンクリートブロック２ｂの高さが一定か否かは、鏝板１０の上面に設けられた目盛り１３によって測定する。
この際、鏝板１０の前端部１２を下段のコンクリートブロック２ａの上端に合わせ、積み上げられたコンクリートブロック２ｂの高さを測定する。
【００１６】
コンクリートブロック２を、Ｌ字型、コの字又はロの字型に配置する場合は、図５のように、配置されたコンクリートブロック２の角となる部分に、鏝板１０の直角の角部１１を当てれば、直角を得ることができるので、差し金を持ち歩く必要が無い。
【実施例２】
【００１７】
図６は、本発明の第２実施形態に係る左官鏝を示す平面図である。
この左官鏝１０１は、鏝板１１０の直角の角部１１１を挟む両辺に目盛り１１３を付した点、ハンマー部を設けなかった点において、第１実施形態に係る左官鏝と相違する。
本実施形態に係る左官鏝も、物差しや差し金を持ち歩いたり、作業の途中で持ち換えたりする必要がなく、作業の効率化を図ることができる。
【図面の簡単な説明】
【００１８】
【図１】本発明の第1実施形態に係る左官鏝を示す平面図である。
【図２】上記左官鏝の側面図である。
【図３】上記左官鏝の握り柄を示す斜視図である。
【図４】上記左官鏝の使用状態を示す斜視図である。
【図５】上記左官鏝の他の使用状態を示す平面図である。
【図６】本発明の第２実施形態に係る左官鏝を示す平面図である。
【符号の説明】
【００１９】
１、１０１…ブロック鏝（左官鏝）
２…コンクリートブロック
３…モルタル
１０、１１０…鏝板
１１、１１１…角部
１２…前端部
１３、１１３…目盛り
２０…金具
３０…握り柄
３１…握り部
３２…座金
３３…雌ねじ
３５…ハンマー部
３６…雄ねじ
【図１】
2006219917.tif 000003
【図２】
2006219917.tif 000004
【図３】
2006219917.tif 000005
【図４】
2006219917.tif 000006
【図５】
2006219917.tif 000007
【図６】
2006219917.tif 000008